(57)【要約】【課題】脱臭ユニットを確実に取り付けることができる衛生洗浄装置を提供することを目的とする。【解決手段】第１プレートと、前記第１プレートと接続される第２プレートと、前記第１プレートの上方に配置される部分と、第２プレートの上方に配置される部分と、を有する脱臭ユニットと、を備え、前記脱臭ユニットは、前記第１プレート及び前記第２プレートのいずれか一方に固定されていることを特徴とする衛生洗浄装置が提供される。【選択図】図７
2018031211.tif 000002
【特許請求の範囲】
【請求項１】
第１プレートと、
前記第１プレートと接続される第２プレートと、
前記第１プレートの上方に配置される部分と、第２プレートの上方に配置される部分と、を有する脱臭ユニットと、
を備え、
前記脱臭ユニットは、前記第１プレート及び前記第２プレートのいずれか一方に固定されていることを特徴とする衛生洗浄装置。
【請求項２】
前記第１プレート及び前記第２プレートのうち前記脱臭ユニットが固定されない他方は、前記脱臭ユニットの下方に位置するリブを有することを特徴とする請求項１記載の衛生洗浄装置。
【請求項３】
前記脱臭ユニットによって脱臭された空気を排気する排気口部を有するカバーと、
前記脱臭ユニットと前記カバーとの間に設けられ、前記脱臭ユニットおよび前記カバーと接するパッキンと、
をさらに備えたことを特徴とする請求項１または２に記載の衛生洗浄装置。
【請求項４】
前記脱臭ユニットは、空気を吸い込むファンを有し、
前記ファンが前記第１プレート及び前記第２プレートの前記一方に固定されることで、前記脱臭ユニットは、前記第１プレート及び前記第２プレートの前記一方に固定されることを特徴とする請求項１〜３のいずれか１つに記載の衛生洗浄装置。
【請求項５】
前記脱臭ユニットは、ダクトを有し、
前記ダクトは、前記第１プレート及び前記第２プレートの前記一方と印籠嵌合していることを特徴とする請求項１〜４のいずれか１つに記載の衛生洗浄装置。
【発明の詳細な説明】
【技術分野】
【０００１】
本発明の態様は、一般的に、衛生洗浄装置に関する。
【背景技術】
【０００２】
衛生洗浄装置においては、第１プレート及び第２プレートを有するケーシングに、脱臭ユニットを含む複数のユニットが収納されることがある。従来、複数のユニットは、第１プレート及び第２プレートのどちらか一方に集約されていた。
【０００３】
例えば、第１プレート上には、多機種の製品に共通するユニットが集約され、第２プレート上には、機種ごとに必要なユニットが配置される。この場合、第１プレート上に配置されたユニットは第１プレートのみに固定され、第２プレート上に配置されたユニットは第２プレートのみに固定される。このような２つのプレートを組み合わせることで、効率的な生産体制を実現することができる。しかし、第１プレート及び第２プレートのいずれかに複数のユニットを集約すると、ケーシングの収納効率が低下することがある。
【０００４】
一方、特許文献１では、第１プレート及び第２プレートに跨るように脱臭ユニットが配置されている。この場合、脱臭ユニットは、第１プレート及び第２プレートのそれぞれに固定される。具体的には、第１プレートに第１ダクトが予め取り付けられ、第２プレートに第２ダクトが予め取り付けられ、第１プレートと第２プレートとを接続することで、第１ダクトと第２ダクトとが接続される。
【先行技術文献】
【特許文献】
【０００５】
【特許文献１】特開２０１３−９６１１３号公報
【発明の概要】
【発明が解決しようとする課題】
【０００６】
脱臭ユニットを第１プレート及び第２プレートのそれぞれに固定する場合には、第１プレートと第２プレートとの接続にばらつきがあると、脱臭ユニットを取り付けられないおそれがある。
【０００７】
本発明は、かかる課題の認識に基づいてなされたものであり、脱臭ユニットを確実に取り付けることができる衛生洗浄装置を提供することを目的とする。
【課題を解決するための手段】
【０００８】
第１の発明は、第１プレートと、前記第１プレートと接続される第２プレートと、前記第１プレートの上方に配置される部分と、第２プレートの上方に配置される部分と、を有する脱臭ユニットと、を備え、前記脱臭ユニットは、前記第１プレート及び前記第２プレートのいずれか一方に固定されていることを特徴とする衛生洗浄装置である。
【０００９】
この衛生洗浄装置によれば、第１プレートと第２プレートとの接続にばらつきがある場合であっても、脱臭ユニットを確実に取り付けることができる。
【００１０】
第２の発明は、第１の発明において、前記第１プレート及び前記第２プレートのうち前記脱臭ユニットが固定されない他方は、前記脱臭ユニットの下方に位置するリブを有することを特徴とする衛生洗浄装置である。
【００１１】
この衛生洗浄装置によれば、脱臭ユニットを傾けたり、ねじったりする応力が生じても、リブにより、傾いたり、ねじれたりしないよう脱臭ユニットを支持することができる。これにより、脱臭ユニットが安定的に固定される。
【００１２】
第３の発明は、第１または第２の発明において、前記脱臭ユニットによって脱臭された空気を排気する排気口部を有するカバーと、前記脱臭ユニットと前記カバーとの間に設けられ、前記脱臭ユニットおよび前記カバーと接するパッキンと、をさらに備えたことを衛生洗浄装置である。
【００１３】
この衛生洗浄装置によれば、パッキンによって、脱臭ユニットが揺れることを抑制することができ、脱臭ユニットの位置を安定させることができる。
【００１４】
第４の発明は、第１〜第３のいずれか１つの発明において、前記脱臭ユニットは、空気を吸い込むファンを有し、前記ファンが前記第１プレート及び前記第２プレートの前記一方に固定されることで、前記脱臭ユニットは、前記第１プレート及び前記第２プレートの前記一方に固定されることを特徴とする衛生洗浄装置である。
【００１５】
この衛生洗浄装置によれば、ファンを確実に固定することができる。これにより、ファンの振動を抑制することができ、脱臭ユニットの位置を安定させることができる。
【００１６】
第５の発明は、第１〜第４のいずれか１つの発明において、前記脱臭ユニットは、ダクトを有し、前記ダクトは、前記第１プレート及び前記第２プレートの前記一方と印籠嵌合していることを特徴とする衛生洗浄装置である。
【００１７】
この衛生洗浄装置によれば、第１プレート及び第２プレートの一方と、ダクトと、の間に隙間が生じることを抑えることができる。したがって、脱臭ユニットが吸い込んだ空気が漏れることを抑え、より確実に脱臭を行うことができる。
【発明の効果】
【００１８】
本発明の態様によれば、脱臭ユニットを確実に取り付けることができる衛生洗浄装置が提供される。
【図面の簡単な説明】
【００１９】
【図１】実施形態に係る衛生洗浄装置が設置されたトイレルームを例示する斜視図である。
【図２】実施形態に係る衛生洗浄装置の本体部を例示する斜視図である。
【図３】実施形態に係る衛生洗浄装置の本体部を例示する平面図である。
【図４】実施形態に係る衛生洗浄装置のケースプレートを例示する分解斜視図である。
【図５】実施形態に係る衛生洗浄装置の脱臭ユニットを例示する斜視図である。
【図６】実施形態に係る衛生洗浄装置の脱臭ユニットを例示する分解斜視図である。
【図７】実施形態に係る衛生洗浄装置の脱臭ユニット及びケースプレートを例示する断面図である。
【図８】実施形態に係る衛生洗浄装置の脱臭ユニット及びケースプレートを例示する平面図である。
【図９】実施形態に係る衛生洗浄装置の脱臭ユニット及びケースプレートを例示する分解斜視図である。
【図１０】実施形態に係る衛生洗浄装置の脱臭ユニットを例示する斜視図である。
【図１１】実施形態に係る衛生洗浄装置の脱臭ユニットおよびケースプレートを例示する断面図である。
【図１２】実施形態に係る衛生洗浄装置の脱臭ユニット及びケースプレートを例示する断面図である。
【発明を実施するための形態】
【００２０】
以下、本発明の実施の形態について図面を参照しつつ説明する。なお、各図面中、同様の構成要素には同一の符号を付して詳細な説明は適宜省略する。
【００２１】
図１は、実施形態に係る衛生洗浄装置が設置されたトイレルームを例示する斜視図である。  
図１に示すように、トイレルームＴＲには、洋式腰掛大便器（以下、単に「便器」と称する）１５０が設置されている。実施形態に係る衛生洗浄装置１００は、便器１５０の上に設置される。衛生洗浄装置１００は、本体部１０と、便蓋１１と、便座１２と、を有する。本体部１０は、便器１５０の後方部の上に載置される。便蓋１１及び便座１２は、それぞれ、本体部１０に対して開閉可能に軸支されている。
【００２２】
ここで、本願明細書においては、便座１２に座った使用者からみて上方を「上方」とし、便座１２に座った使用者からみて下方を「下方」とする。開いた状態の便蓋１１に背を向けて便座１２に座った使用者からみて前方を「前方」とし、後方を「後方」とし、右側を「右側方」とし、左側を「左側方」とする。
【００２３】
図２は、実施形態に係る衛生洗浄装置の本体部を例示する斜視図である。  
図３は、実施形態に係る衛生洗浄装置の本体部を例示する平面図である。  
図２に示すように、本体部１０は、ケーシング２０を有する。ケーシング２０は、ケースカバー２１と、ケースプレート２２（図３参照）と、を有する。
【００２４】
図３は、本体部１０からケースカバー２１を取り外した状態を示す。  
本体部１０は、給水ユニット３１、洗浄ノズル３３（洗浄ノズルユニット）、脱臭ユニット３５及び熱交換器３７（熱交換ユニット）などの複数の機能ユニットを有する。これらの機能ユニットは、ケースプレート２２の上に設けられており、これらを覆うようにケースカバー２１がケースプレート２２と固定される。
【００２５】
図４は、実施形態に係る衛生洗浄装置のケースプレートを例示する分解斜視図である。  図４に示すように、ケースプレート２２は、第１プレート２２１と第２プレート２２２とを有する。第２プレート２２２の前方には、前方に延びる延出部２２２ａが設けられている。この延出部２２２ａの上に、第１プレート２２１の後方部を重ねるようにして、第１プレート２２１と第２プレート２２２とが互いに接続される。
【００２６】
第２プレート２２２の延出部２２２ａには、溝（孔）２２２ｂが設けられている。第１プレート２２１の裏面には、溝２２２ｂに対応した形状を有する突起（不図示）が設けられている。第１プレート２２１と第２プレート２２２とを接続する際には、第１プレート２２１の突起と第２プレート２２２の溝２２２ｂとを嵌合し、第１プレート２２１と第２プレート２２２との相対的位置を固定する。
【００２７】
なお、第１プレート２２１と第２プレート２２２とを接続する方法は、上記に限られない。例えば、上記とは逆に、第１プレート２２１に溝又は凹部を設け、その溝又は凹部に対応する突起を第２プレート２２２に設けてもよいし、凹部及び突起の形状は、任意である。また、ピンやねじを用いて、第１プレート２２１と第２プレート２２２とを接続してもよい。実施形態において、第１プレート２２１と第２プレート２２２との接続には、任意の構成を用いることができる。
【００２８】
図３に示すように、給水ユニット３１、洗浄ノズル３３（洗浄ノズルユニット）、脱臭ユニット３５及び熱交換器３７は、第１プレート２２１の上に固定されている。
【００２９】
給水ユニット３１は、給水口３１ｅと、流路開閉弁３１ｆ（電磁弁）と、を有する。給水口３１ｅは、給水配管などを介して、水道管などの給水源などと接続される。流路開閉弁３１ｆが開くことにより、本体部１０に水が供給される。
【００３０】
給水ユニット３１から供給された水は、図示しない電磁弁や流路切換弁等によって、洗浄ノズル３３へ水を導く流路や、脱臭ユニット３５へ水を導く流路へ流れる。つまり、電磁弁や流路切換弁によって、洗浄ノズル３３及び脱臭ユニット３５のそれぞれに、適宜、水が供給される。
【００３１】
熱交換器３７は、水を洗浄ノズル３３へ導く流路上に設けられ、供給された水を加熱し、温水を生成する。熱交換器３７は、例えばセラミックヒータなどを用いた瞬間加熱式（瞬間式）の熱交換器でもよいし、貯湯タンクを用いた貯湯加熱式の熱交換器でもよい。
【００３２】
洗浄ノズル３３は、ケースプレート２２の左右方向における略中央に設けられている。洗浄ノズル３３は、モータ等を有する駆動部３３ｆからの駆動力を受け、図３に破線で示した洗浄ノズル３３のように便器１５０のボウル内に進出することができる。また、洗浄ノズル３３は、駆動部３３ｆからの駆動力を受け、ケーシング２０の内部に後退することができる。
【００３３】
洗浄ノズル３３の先端部には吐水口３３ｈが設けられており、洗浄ノズル３３は、供給された水を吐水口３３ｈから吐水する。これにより、便座に座った使用者の局部（例えば「おしり」など）を洗浄することができる。
【００３４】
脱臭ユニット３５は、ケースプレート２２上の左端部に設置されている。  
図２及び図３に表した矢印Ａ１のように、脱臭ユニット３５は、ケーシング２０の左側面の前方に設けられた吸気口部４１から、トイレルームＴＲ内の空気を吸い込む。吸気口部４１から吸い込まれた空気に含まれる悪臭成分は、脱臭ユニット３５によって捕集される。なお、悪臭成分は、例えば、アンモニア成分である。この悪臭成分は、トイレルームＴＲの床や壁などに付着してしまった尿により、発生するものである。
【００３５】
図２及び図３に表した矢印Ａ２のように、脱臭ユニット３５によって悪臭成分が捕集され脱臭された空気は、ケーシング２０の左側面の後方に設けられた排気口部４３から、トイレルームＴＲ内に吐き出される。
【００３６】
なお、図２に示したように、吸気口部４１は、ケースカバー２１とケースプレート２２との隙間に設けられた開口部である。また、ケースカバー２１の側面には、着脱可能なカバー４４が設けられている。排気口部４３は、このカバー４４に設けられた排気ルーバである。すなわち、排気口部４３は、羽板４３ａと、羽板４３ａ間の開口部４３ｂと、を有する。羽板４３ａは、下方に向かって傾斜しているため、脱臭ユニット３５によって脱臭された空気は、ケーシング２０から斜め下方に向けて排出される。
【００３７】
図５は、実施形態に係る衛生洗浄装置の脱臭ユニットを例示する斜視図である。  
図６は、実施形態に係る衛生洗浄装置の脱臭ユニットを例示する分解斜視図である。  
図７は、実施形態に係る衛生洗浄装置の脱臭ユニット及びケースプレートを例示する断面図である。図７は、図３に示すＣ１−Ｃ２線における断面を示す。  
図５〜図７に示すように、脱臭ユニット３５は、噴霧ノズル５１と、ファン５２と、ダクト５３と、脱臭フィルタ５５と、を有する。
【００３８】
例えば、図６に示すように、ダクト５３は、上部材５３ａ（蓋）と、下部材５３ｂと、を有する。上部材５３ａ及び下部材５３ｂのそれぞれは、例えば、樹脂成型などにより形成されており、継目のない形状を有する。また、パッキン８８は、下部材５３ｂの上方の開口の縁に沿った環状である。パッキン８８を挟むように、下部材５３ｂの上に上部材５３ａを固定することで、気密性の高いダクト５３が形成される。また、下部材５３ｂには、排気口５４が設けられている。
【００３９】
ファン５２は、ケーシング２０の吸気口部４１（図３参照）の側方に設置されている。また、排気口５４は、ケーシング２０の排気口部４３（図３参照）と対向するように設置されている。
【００４０】
ファン５２は、例えば樹脂製のシロッコファンである。ファン５２は、内部に設けられた複数の羽が回転することで、例えば図７に表した矢印Ａ３のように、吸気口部４１を介してトイレルームＴＲ内の空気を吸い込む。吸い込まれた空気は、図６に表した矢印Ａ４のようにダクト５３の斜面を通過して、上方から下方に向かって脱臭フィルタ５５を通過する。
【００４１】
脱臭フィルタ５５を通過した空気は、図５に表した矢印Ａ５のように排気口５４を通過し、その後ケーシング２０の排気口部４３からケーシング２０の外へ排気される。
【００４２】
図３に関して説明した給水ユニット３１から供給された水の一部は、噴霧ノズル５１へ導かれる。噴霧ノズル５１は、脱臭フィルタ５５に水を噴霧する。脱臭フィルタ５５には、例えば多孔質セラミックが用いられる。噴霧ノズル５１から脱臭フィルタ５５に水が噴霧されると、脱臭フィルタ５５は、その水を内部に保つ。脱臭フィルタ５５が内部に水を保った状態において、ファン５２を動作させることで、脱臭フィルタ５５を通過する空気から悪臭成分を取り除くことができる。
【００４３】
脱臭フィルタ５５は、ファン５２と排気口５４との間、即ちファン５２の下流側に設けられている。言い換えれば、ファン５２は、噴霧ノズル５１によって水が噴霧された脱臭フィルタ５５よりも上流側に設置される。そのため、湿気を含んだ空気が脱臭フィルタ５５から電気機器のファン５２へ送られることがない。よって、湿気により、ファン５２が故障することを防ぐことができる。また、ファン５２から排出された空気は、脱臭フィルタ５５を通過する。そのため、ファン５２が作動する前に衛生洗浄装置１００の内部に溜まった空気は、脱臭フィルタ５５を通過し、悪臭成分が捕集された後にトイレルームＴＲへ排出されることとなる。よって、ファン５２を作動させた際に、衛生洗浄装置１００の内部に溜まった空気が悪臭成分を捕集又は分解されずにトイレルームＴＲへ排出されることを防ぐことができる。さらに、脱臭フィルタ５５を収納した脱臭フィルタケース５５ｃは、使用者の操作によって、排気口５４から自由に取り出し可能とされている。このことより、脱臭フィルタ５５の清掃性が向上する。
【００４４】
噴霧ノズル５１から噴霧された水の一部（例えば脱臭フィルタ５５に保水されなかった余剰水）は、ダクト５３内の底面の傾斜に従い、ダクト５３の前方部に流れ、ダクト５３の前方部に設けられた排水口５６（後述の図９参照）から外部に流れる。排水口５６から流れ出た水は、第１プレート２２１に設けられた排水溝９４（後述の図９参照）を流れ、便器１５０のボウル内へ排出される。
【００４５】
図７に示すように、第１プレート２２１は、第２プレート２２２と重なる重複部Ｖ１と、第２プレート２２２と重ならない非重複部Ｎ１と、を有する。同様に、第２プレート２２２は、第１プレート２２１と重なる重複部Ｖ２と、第１プレート２２１と重ならない非重複部Ｎ２と、を有する。
【００４６】
脱臭ユニット３５は、第１プレート２２１及び第２プレート２２２に跨るように配置される。換言すれば、脱臭ユニット３５は、第１プレート２２１の上方に配置される部分と、第２プレート２２２の上方に配置される部分と、を有する。より具体的には、脱臭ユニット３５の第１部分３５ａは、第１プレート２２１の非重複部Ｎ１の上に配置され、脱臭ユニット３５の第２部分３５ｂは、第２プレート２２２の非重複部Ｎ２の上に配置される。脱臭ユニット３５の第３部分３５ｃは、重複部Ｖ１、Ｖ２の上に配置される。
【００４７】
第１プレート２２１及び第２プレート２２２に跨るように脱臭ユニット３５を配置することで、ケーシング２０内のユニットの配置の自由度が向上し、例えば、ケーシング２０の側方に排気口部４３を配置しやすくしたり、ケーシング２０の収納効率を向上させたりできる。
【００４８】
脱臭ユニット３５は、第１プレート２２１及び第２プレート２２２の一方に固定される。すなわち、脱臭ユニット３５は、第１プレート２２１及び第２プレート２２２のいずれか一方のみに直接的に取り付けられ、他方には直接的に取り付けられない。図７に示した例では、脱臭ユニット３５は、第１プレート２２１に固定されている。
【００４９】
第１プレート２２１と第２プレート２２２とを接続すると、第１プレート２２１と第２プレート２２２との相対的な位置関係がばらつき、がたつきが生じることがある。このばらつきは、例えば、第１プレート２２１及び第２プレート２２２の寸法ばらつきや、第１プレート２２１及び第２プレート２２２を接続する作業精度のばらつき等に起因する。脱臭ユニット３５を第１プレート２２１及び第２プレート２２２の双方に固定する場合には、上述のばらつきにより、脱臭ユニット３５を取り付けることができない可能性がある。
【００５０】
これに対して、実施形態においては、第１プレート２２１及び第２プレート２２２の一方に脱臭ユニット３５の固定構造を集約し、脱臭ユニット３５は、当該一方に固定される。これにより、第１プレート２２１と第２プレート２２２との接続にばらつきがある場合であっても、確実に脱臭ユニット３５を取り付けることができる。
【００５１】
また、従来、第１プレート上に第１ダクトを固定し、第２プレート上に第２ダクトを固定した後、２つのダクトを接続する方法がある。しかし、この場合には、第１ダクトと第２ダクトとの接続部分から、噴霧ノズルからの余剰水が漏れ出る可能性がある。また、この場合には、第１、第２ダクトの２つのダクトを用いるため、部品の数が増大してしまう。
【００５２】
これに対して、実施形態においては、ダクト５３（上部材５３ａ及び下部材５３ｂのそれぞれ）は継目のない構造であるため、上述のような接続部分がない。これにより、余剰水が漏れることを抑制できる。また、部品の数を少なくすることができる。
【００５３】
以下では、脱臭ユニット３５が第１プレート２２１に固定され、第２プレート２２２には固定されていない場合を例に挙げ、脱臭ユニット３５の取り付けについて説明する。但し、実施形態には、脱臭ユニット３５が第２プレート２２２に固定され、第１プレート２２１に固定されない構成を用いてもよい。
【００５４】
図８は、実施形態に係る衛生洗浄装置の脱臭ユニット及びケースプレートを例示する平面図である。  
図９は、実施形態に係る衛生洗浄装置の脱臭ユニット及びケースプレートを例示する分解斜視図である。  
図１０は、実施形態に係る衛生洗浄装置の脱臭ユニットを例示する斜視図である。図１０は、脱臭ユニット３５を下方から眺めた様子を表している。
【００５５】
例えば、脱臭ユニット３５は、図８に示した第１〜第３ポイントＰ１〜Ｐ３において、第１プレート２２１に固定される。図９に示すように、第１プレート２２１は、ねじ７５ａに対応するねじ穴７７ａと、ねじ７５ｂに対応するねじ穴７７ｂと、を有する。ファン５２は、ねじ７５ａが挿通される挿通孔７６ａと、ねじ７５ｂが挿通される挿通孔７６ｂと、を有する。
【００５６】
挿通孔７６ａを介して、ねじ穴７７ａに、ねじ７５を固定する。挿通孔７６ｂを介して、ねじ穴７７ｂに、ねじ７５ｂを固定する。これにより、第１、第２ポイントＰ１、Ｐ２において、ファン５２が第１プレート２２１に固定される。  
すなわち、実施形態においては、第１プレート２２１及び第２プレート２２２の一方（この例では第１プレート２２１）にファン５２が固定されることで、脱臭ユニット３５は、第１プレート２２１及び第２プレート２２２の当該一方に固定される。これにより、ファン５２を確実に固定して、振動を抑制することができる。
【００５７】
図１０に示すように、ダクト５３の底面には、突起部７８が設けられている。また、図９に示すように、第１プレート２２１の後方部には、突起部７８に対応した穴７９が設けられている。突起部７８と穴７９とを嵌め合わせることで、脱臭ユニット３５は、第３ポイントＰ３において第１プレート２２１に固定される。
【００５８】
図１１は、実施形態に係る衛生洗浄装置の脱臭ユニットおよびケースプレートを例示する断面図である。  
図１１は、図８に示すＣ３−Ｃ４線における断面を示す。  
図１１に示すように、ダクト５３は、第１プレート２２１と印籠嵌合している。なお、印籠嵌合とは、２つの部材の一方が凸部を有し、他方が凹部を有し、その凸部と凹部とを嵌め合わせることにより、２つの部材を接続することをいう。具体的には、以下の如くである。
【００５９】
図１０に示すように、ダクト５３の前方部の底面には、ファン５２に吸い込まれる空気が通過する開口部８４が設けられている。開口部８４は、ファン５２の吸気口５２ｅと重なるように設けられている。ダクト５３の底面には、下方に凸の凸部８５が設けられている。平面視（上方から見たとき）において、凸部８５は、開口部８４を囲む環状である。
【００６０】
図９に示すように、第１プレート２２１は、上述の凸部８５に対応する凹部８６（溝）を有する。凹部８６の形状は、凸部８５の形状に対応しており、平面視において環状である。
【００６１】
図１１に示すように、凸部８５は、テーパ状となっており、凹部８６に嵌め合わされる。このような印籠嵌合を用いることにより、第１プレート２２１とダクト５３との間に隙間が生じることを抑制できる。これにより、ファン５２によって吸気口部４１から吸い込まれた空気が、第１プレート２２１とダクト５３との間の隙間から漏れることを抑え、より確実に脱臭を行うことができる。
【００６２】
図１２は、実施形態に係る衛生洗浄装置の脱臭ユニット及びケースプレートを例示する断面図である。  
図１２は、図８に示したＣ５−Ｃ６線における断面を示す。また、図１２では、排気口部４３（ケーシング２０のカバー４４）も併せて示す。
【００６３】
図１２に示すように、衛生洗浄装置１００は、パッキン８７を有する。パッキン８７は、ダクト５３の下部材５３ｂと、カバー４４と、の間に設けられる。パッキン８７は、ダクト５３の下部材５３ｂ及びカバー４４と接する。パッキン８７は、例えば、弾性又は可撓性を有し、ダクト５３の下部材５３ｂ及びカバー４４によって左右から挟まれている。
【００６４】
パッキン８７の材料には、例えば、ゴムや樹脂を用いることができる。パッキン８７は、側方から見たときに、ダクト５３の排気口５４の周囲を囲む環状である。パッキン８７は、カバー４４とダクト５３との間の隙間を塞ぐシール部材であり、空気や水が漏れることを防ぐ。
【００６５】
既に述べた通り、この例において、脱臭ユニット３５は、第１プレート２２１に固定され、第２プレート２２２には固定されていない。このため、第２プレート２２２（図７の非重複部Ｎ２）の上に位置する脱臭ユニット３５の後方部は、衛生洗浄装置１００が作動する際の振動に伴い、揺れやすいことがある。これに対して、排気口５４及びパッキン８７は、第２プレート２２２（非重複部Ｎ２）の上に配置されている。これにより、パッキン８７は、緩衝部材として機能し、脱臭ユニット３５が揺れることを抑制し、脱臭ユニット３５の位置を安定させることができる。
【００６６】
第１プレート２２１及び第２プレート２２２のうち、脱臭ユニット３５が固定されていないプレートは、脱臭ユニット３５の下方に設けられたリブを有する。すなわち、この例では図９及び図１２に示すように、第２プレート２２２は、リブ９１を有する。図１０及び図１２に示すように、ダクト５３は、ダクト５３の底面に設けられ、リブ９１の上方に位置するリブ９３を有する。
【００６７】
パッキン８７及びカバー４４を取り付ける際には、脱臭ユニット３５の後方部に右側方に向かう力が加えられる。一方、脱臭ユニット３５は、前方部において第１プレート２２１に固定されており、後方部においては、固定されていない。このため、脱臭ユニット３５の後方部に右側方に向かう力が加えられることにより、脱臭ユニット３５を傾けたり、ねじったりする応力が生じる。これに対して、リブ９１は、脱臭ユニット３５が傾いたり、ねじれたりしないように、リブ９３を介して脱臭ユニット３５を支持することができる。これにより、脱臭ユニット３５を安定的に固定することができる。
【００６８】
なお、リブ９１とリブ９３との間には、隙間があってよい。脱臭ユニット３５を傾けたり、ねじったりする応力が生じた際には、リブ９３がリブ９１に当接することで、脱臭ユニット３５の傾きやねじれを抑制することができる。
【００６９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、第１プレート、第２プレート、脱臭ユニットなどが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７０】
１０ 本体部、  １１ 便蓋、  １２ 便座、  ２０ ケーシング、  ２１ ケースカバー、  ２２ ケースプレート、  ３１ 給水ユニット、  ３１ｅ 給水口、  ３１ｆ 流路開閉弁、  ３３ 洗浄ノズル、  ３３ｆ 駆動部、  ３３ｈ 吐水口、  ３５ 脱臭ユニット、  ３５ａ 第１部分、  ３５ｂ 第２部分、  ３５ｃ 第３部分、  ３７ 熱交換器、  ４１ 吸気口部、  ４３ 排気口部、  ４３ａ 羽板、  ４３ｂ 開口部、  ４４ カバー、  ５１ 噴霧ノズル、  ５２ ファン、  ５２ｅ 吸気口、  ５３ ダクト、  ５３ａ 上部材、  ５３ｂ 下部材、  ５４ 排気口、  ５５ 脱臭フィルタ、  ５５ｃ 脱臭フィルタケース、  ７６ａ、７６ｂ 挿通孔、  ７７ａ、７７ｂ ねじ穴、  ７８ 突起部、  ７９ 穴、  ８４ 開口部、  ８５ 凸部、  ８６ 凹部、  ８７ パッキン、  ８８ パッキン、  ９１ リブ、  ９３ リブ、  １００ 衛生洗浄装置、  １５０ 便器、  ２２１ 第１プレート、  ２２２ 第２プレート、  ２２２ａ 延出部、  ２２２ｂ 孔、  ＴＲ トイレルーム
【図１】
2018031211.tif 000003
【図２】
2018031211.tif 000004
【図３】
2018031211.tif 000005
【図４】
2018031211.tif 000006
【図５】
2018031211.tif 000007
【図６】
2018031211.tif 000008
【図７】
2018031211.tif 000009
【図８】
2018031211.tif 000010
【図９】
2018031211.tif 000011
【図１０】
2018031211.tif 000012
【図１１】
2018031211.tif 000013
【図１２】
2018031211.tif 000014